(57)【要約】【課題】  苗植付装置において、縦送りの動力が入力部に伝達された際、伝動軸のネジレにより縦送り装置が少し遅れて駆動されるような状態を避ける。【解決手段】  所定の仕切り部の下側に入力部２７及び第１縦送りクラッチ２９を備え、第１縦送りクラッチ２９の隣の縦送り装置３５に、入力部２７の動力を第１縦送りクラッチ２９を介して伝達する。離れた仕切り部の下側に第２及び第３縦送りクラッチ３０，３１を備え、入力部２７の動力を伝動軸２５を介して第２及び第３縦送りクラッチ３０，３１に伝達するように構成する。第２縦送りクラッチ３０の隣の縦送り装置３５に、入力部２７の動力を第２縦送りクラッチ３０を介して伝達する。第３縦送りクラッチ３１の隣の縦送り装置３５に、入力部２７の動力を第３縦送りクラッチ３１を介して伝達する。【選択図】        図２
2005117937.tif 000002
【特許請求の範囲】
【請求項１】
複数条の苗のせ面及び仕切り部を備えて苗のせ台を構成し、前記苗のせ面に載置された苗を下方に送る縦送り装置を苗のせ面の各々に備えた苗植付装置において、
所定の仕切り部の下側に入力部及び第１縦送りクラッチを備え、前記第１縦送りクラッチの隣の苗のせ面の縦送り装置に、前記入力部の動力を第１縦送りクラッチを介して伝達するように構成すると共に、
前記所定の仕切り部から離れた仕切り部の下側に第２及び第３縦送りクラッチを備え、前記入力部の動力を伝動軸を介して第２及び第３縦送りクラッチに伝達するように構成して、
前記第２縦送りクラッチの隣の苗のせ面の縦送り装置に、前記入力部の動力を第２縦送りクラッチを介して伝達するように構成し、
前記第３縦送りクラッチの隣の苗のせ面の縦送り装置に、前記入力部の動力を第３縦送りクラッチを介して伝達するように構成してある苗植付装置。
【請求項２】
６条の苗のせ面及び７個の仕切り部を備えて苗のせ台を構成し、前記苗のせ面に載置された苗を下方に送る縦送り装置を苗のせ面の各々に備えた苗植付装置において、
前記右又は左端の仕切り部から２つ目の仕切り部の下側に入力部及び第１縦送りクラッチを備え、前記第１縦送りクラッチの外隣の２条の苗のせ面の縦送り装置に、前記入力部の動力を第１縦送りクラッチを介して伝達するように構成すると共に、
前記左又は右端の仕切り部から２つ目の仕切り部の下側に第２及び第３縦送りクラッチを備え、前記入力部の動力を伝動軸を介して第２及び第３縦送りクラッチに伝達するように構成して、
前記第２縦送りクラッチの内隣の２条の苗のせ面の縦送り装置に、前記入力部の動力を第２縦送りクラッチを介して伝達するように構成し、
前記第３縦送りクラッチの外隣の２条の苗のせ面の縦送り装置に、前記入力部の動力を第３縦送りクラッチを介して伝達するように構成してある苗植付装置。
【請求項３】
５条の苗のせ面及び６個の仕切り部を備えて苗のせ台を構成し、前記苗のせ面に載置された苗を下方に送る縦送り装置を苗のせ面の各々に備えた苗植付装置において、
前記右又は左端の仕切り部から１つ目の仕切り部の下側に入力部及び第１縦送りクラッチを備え、前記第１縦送りクラッチの外隣の１条の苗のせ面の縦送り装置に、前記入力部の動力を第１縦送りクラッチを介して伝達するように構成すると共に、
前記右又は左端の仕切り部から２つ目の仕切り部の下側に第２縦送りクラッチを備えて、前記左又は右端の仕切り部から２つ目の仕切り部の下側に第３及び第４縦送りクラッチを備え、前記入力部の動力を伝動軸を介して第２，３，４縦送りクラッチに伝達するように構成して、
前記第２縦送りクラッチの入力部側の１条の苗のせ面の縦送り装置に、前記入力部の動力を第２縦送りクラッチを介して伝達するように構成し、
前記第３縦送りクラッチの内隣の１条の苗のせ面の縦送り装置に、前記入力部の動力を第３縦送りクラッチを介して伝達するように構成し、
前記第４縦送りクラッチの外隣の２条の苗のせ面の縦送り装置に、前記入力部の動力を第４縦送りクラッチを介して伝達するように構成してある苗植付装置。
【請求項４】
５条の苗のせ面及び６個の仕切り部を備えて苗のせ台を構成し、前記苗のせ面に載置された苗を下方に送る縦送り装置を苗のせ面の各々に備えた苗植付装置において、
前記右又は左端の仕切り部から２つ目の仕切り部の下側に入力部及び第１縦送りクラッチを備え、前記第１縦送りクラッチの外隣の２条の苗のせ面の縦送り装置に、前記入力部の動力を第１縦送りクラッチを介して伝達するように構成すると共に、
前記左又は右端の仕切り部から２つ目の仕切り部の下側に第２及び第３縦送りクラッチを備え、前記入力部の動力を伝動軸を介して第２及び第３縦送りクラッチに伝達するように構成して、
前記第２縦送りクラッチの入力部側の１条の苗のせ面の縦送り装置に、前記入力部の動力を第２縦送りクラッチを介して伝達するように構成し、
前記第３縦送りクラッチの外隣の２条の苗のせ面の縦送り装置に、前記入力部の動力を第３縦送りクラッチを介して伝達するように構成してある苗植付装置。
【請求項５】
８条の苗のせ面及び９個の仕切り部を備えて苗のせ台を構成し、前記苗のせ面に載置された苗を下方に送る縦送り装置を苗のせ面の各々に備えた苗植付装置において、
前記右又は左端の仕切り部から２つ目の仕切り部の下側に入力部及び第１縦送りクラッチを備え、前記第１縦送りクラッチの外隣の２条の苗のせ面の縦送り装置に、前記入力部の動力を第１縦送りクラッチを介して伝達するように構成すると共に、
中央の仕切り部の下側に第２縦送りクラッチを備えて、前記左又は右端の仕切り部から２つ目の仕切り部の下側に第３及び第４縦送りクラッチを備え、前記入力部の動力を伝動軸を介して第２，３，４縦送りクラッチに伝達するように構成して、
前記第２縦送りクラッチの入力部側の２条の苗のせ面の縦送り装置に、前記入力部の動力を第２縦送りクラッチを介して伝達するように構成し、
前記第３縦送りクラッチの内隣の２条の苗のせ面の縦送り装置に、前記入力部の動力を第３縦送りクラッチを介して伝達するように構成し、
前記第４縦送りクラッチの外隣の２条の苗のせ面の縦送り装置に、前記入力部の動力を第４縦送りクラッチを介して伝達するように構成してある苗植付装置。
【請求項６】
８条の苗のせ面及び９個の仕切り部を備えて苗のせ台を構成し、前記苗のせ面に載置された苗を下方に送る縦送り装置を苗のせ面の各々に備えた苗植付装置において、
前記右又は左端の仕切り部から２つ目の仕切り部の下側に入力部及び第１縦送りクラッチを備え、前記第１縦送りクラッチの外隣の２条の苗のせ面の縦送り装置に、前記入力部の動力を第１縦送りクラッチを介して伝達するように構成すると共に、
中央の仕切り部の下側に第２及び第３縦送りクラッチを備えて、前記左又は右端の仕切り部から２つ目の仕切り部の下側に第４縦送りクラッチを備え、前記入力部の動力を伝動軸を介して第２，３，４縦送りクラッチに伝達するように構成して、
前記第２縦送りクラッチの入力部側の２条の苗のせ面の縦送り装置に、前記入力部の動力を第２縦送りクラッチを介して伝達するように構成し、
前記第３縦送りクラッチの入力部とは反対側の２条の苗のせ面の縦送り装置に、前記入力部の動力を第３縦送りクラッチを介して伝達するように構成し、
前記第４縦送りクラッチの外隣の２条の苗のせ面の縦送り装置に、前記入力部の動力を第４縦送りクラッチを介して伝達するように構成してある苗植付装置。
【発明の詳細な説明】
【技術分野】
【０００１】
本発明は苗植付装置において、苗のせ面の各々に備えられた縦送り装置の駆動の構造に関する。
【背景技術】
【０００２】
乗用型や歩行型の田植機において、苗植付装置では複数条の苗のせ面及び仕切り部を備えて苗のせ台を構成しており、苗のせ面に載置された苗を下方に送る縦送り装置を苗のせ面の各々に備えている。この場合、例えば特許文献１に開示されているように、所定の仕切り部の下側に入力部を備え、所定の仕切り部（入力部）とは異なる仕切り部及び右又は左端の仕切り部に縦送りクラッチを備えて、入力部の動力を伝動軸を介して縦送りクラッチに伝達するように構成されたものがある。
【０００３】
これにより、苗のせ台が往復横送り駆動の右又は左端部に達すると、フィードケースから縦送りの動力が入力部に伝達されて、入力部の動力が伝動軸及び縦送りクラッチ（伝動状態）を介して縦送り装置に伝達され、縦送り装置が駆動されて、苗のせ面に載置された苗が縦送り装置により下方に送られる。縦送りクラッチを遮断状態に操作しておくと、前述のように苗のせ台が往復横送り駆動の右又は左端部に達して、フィードケースから縦送りの動力が入力部に伝達されても、縦送り装置は停止している。
【０００４】
【特許文献１】特開平６−２１７６１８号公報
【発明の開示】
【発明が解決しようとする課題】
【０００５】
特許文献１の構造によると、所定の仕切り部の下側に入力部が備えられ、右又は左端の仕切り部に縦送りクラッチが備えられているので、入力部と縦送りクラッチとの間の距離が長いものとなり、入力部の動力を縦送りクラッチに伝達する伝動軸が細長いものになっている。
【０００６】
前述のように入力部の動力を縦送りクラッチに伝達する伝動軸が細長いものになると、伝動軸にネジレが発生し易くなるので、苗のせ台が往復横送り駆動の右又は左端部に達して、フィードケースから縦送りの動力が入力部に伝達された際、伝動軸のネジレにより縦送り装置が少し遅れて駆動されるような状態の生じることがある。
本発明は苗植付装置において、苗のせ台が往復横送り駆動の右又は左端部に達してフィードケースから縦送りの動力が入力部に伝達された際、伝動軸のネジレにより縦送り装置が少し遅れて駆動されるような状態を避けることができるように構成することを目的としている。
【課題を解決するための手段】
【０００７】
（構成）
本発明の第１特徴は、複数条の苗のせ面及び仕切り部を備えて苗のせ台を構成し、苗のせ面に載置された苗を下方に送る縦送り装置を苗のせ面の各々に備えた苗植付装置において、次のように構成することにある。
所定の仕切り部の下側に入力部及び第１縦送りクラッチを備え、第１縦送りクラッチの隣の苗のせ面の縦送り装置に、入力部の動力を第１縦送りクラッチを介して伝達するように構成する。所定の仕切り部から離れた仕切り部の下側に第２及び第３縦送りクラッチを備え、入力部の動力を伝動軸を介して第２及び第３縦送りクラッチに伝達するように構成する。第２縦送りクラッチの隣の苗のせ面の縦送り装置に、入力部の動力を第２縦送りクラッチを介して伝達するように構成する。第３縦送りクラッチの隣の苗のせ面の縦送り装置に、入力部の動力を第３縦送りクラッチを介して伝達するように構成する。
【０００８】
本発明の第２特徴は、６条の苗のせ面及び７個の仕切り部を備えて苗のせ台を構成し、苗のせ面に載置された苗を下方に送る縦送り装置を苗のせ面の各々に備えた苗植付装置において、次のように構成することにある。
右又は左端の仕切り部から２つ目の仕切り部の下側に入力部及び第１縦送りクラッチを備え、第１縦送りクラッチの外隣の２条の苗のせ面の縦送り装置に、入力部の動力を第１縦送りクラッチを介して伝達するように構成する。左又は右端の仕切り部から２つ目の仕切り部の下側に第２及び第３縦送りクラッチを備え、入力部の動力を伝動軸を介して第２及び第３縦送りクラッチに伝達するように構成する。第２縦送りクラッチの内隣の２条の苗のせ面の縦送り装置に、入力部の動力を第２縦送りクラッチを介して伝達するように構成する。第３縦送りクラッチの外隣の２条の苗のせ面の縦送り装置に、入力部の動力を第３縦送りクラッチを介して伝達するように構成する。
【０００９】
本発明の第３特徴は、５条の苗のせ面及び６個の仕切り部を備えて苗のせ台を構成し、苗のせ面に載置された苗を下方に送る縦送り装置を苗のせ面の各々に備えた苗植付装置において、次のように構成することにある。
右又は左端の仕切り部から１つ目の仕切り部の下側に入力部及び第１縦送りクラッチを備え、第１縦送りクラッチの外隣の１条の苗のせ面の縦送り装置に、入力部の動力を第１縦送りクラッチを介して伝達するように構成する。右又は左端の仕切り部から２つ目の仕切り部の下側に第２縦送りクラッチを備えて、左又は右端の仕切り部から２つ目の仕切り部の下側に第３及び第４縦送りクラッチを備え、入力部の動力を伝動軸を介して第２，３，４縦送りクラッチに伝達するように構成する。第２縦送りクラッチの入力部側の１条の苗のせ面の縦送り装置に、入力部の動力を第２縦送りクラッチを介して伝達するように構成する。第３縦送りクラッチの内隣の１条の苗のせ面の縦送り装置に、入力部の動力を第３縦送りクラッチを介して伝達するように構成する。第４縦送りクラッチの外隣の２条の苗のせ面の縦送り装置に、入力部の動力を第４縦送りクラッチを介して伝達するように構成する。
【００１０】
本発明の第４特徴は、５条の苗のせ面及び６個の仕切り部を備えて苗のせ台を構成し、苗のせ面に載置された苗を下方に送る縦送り装置を苗のせ面の各々に備えた苗植付装置において、次のように構成することにある。
右又は左端の仕切り部から２つ目の仕切り部の下側に入力部及び第１縦送りクラッチを備え、第１縦送りクラッチの外隣の２条の苗のせ面の縦送り装置に、入力部の動力を第１縦送りクラッチを介して伝達するように構成する。左又は右端の仕切り部から２つ目の仕切り部の下側に第２及び第３縦送りクラッチを備え、入力部の動力を伝動軸を介して第２及び第３縦送りクラッチに伝達するように構成する。第２縦送りクラッチの入力部側の１条の苗のせ面の縦送り装置に、入力部の動力を第２縦送りクラッチを介して伝達するように構成する。第３縦送りクラッチの外隣の２条の苗のせ面の縦送り装置に、入力部の動力を第３縦送りクラッチを介して伝達するように構成する。
【００１１】
本発明の第５特徴は、８条の苗のせ面及び９個の仕切り部を備えて苗のせ台を構成し、苗のせ面に載置された苗を下方に送る縦送り装置を苗のせ面の各々に備えた苗植付装置において、次のように構成することにある。
右又は左端の仕切り部から２つ目の仕切り部の下側に入力部及び第１縦送りクラッチを備え、第１縦送りクラッチの外隣の２条の苗のせ面の縦送り装置に、入力部の動力を第１縦送りクラッチを介して伝達するように構成する。中央の仕切り部の下側に第２縦送りクラッチを備えて、左又は右端の仕切り部から２つ目の仕切り部の下側に第３及び第４縦送りクラッチを備え、入力部の動力を伝動軸を介して第２，３，４縦送りクラッチに伝達するように構成する。第２縦送りクラッチの入力部側の２条の苗のせ面の縦送り装置に、入力部の動力を第２縦送りクラッチを介して伝達するように構成する。第３縦送りクラッチの内隣の２条の苗のせ面の縦送り装置に、入力部の動力を第３縦送りクラッチを介して伝達するように構成する。第４縦送りクラッチの外隣の２条の苗のせ面の縦送り装置に、入力部の動力を第４縦送りクラッチを介して伝達するように構成する。
【００１２】
本発明の第６特徴は、８条の苗のせ面及び９個の仕切り部を備えて苗のせ台を構成し、苗のせ面に載置された苗を下方に送る縦送り装置を苗のせ面の各々に備えた苗植付装置において、次のように構成することにある。
右又は左端の仕切り部から２つ目の仕切り部の下側に入力部及び第１縦送りクラッチを備え、第１縦送りクラッチの外隣の２条の苗のせ面の縦送り装置に、入力部の動力を第１縦送りクラッチを介して伝達するように構成する。中央の仕切り部の下側に第２及び第３縦送りクラッチを備えて、左又は右端の仕切り部から２つ目の仕切り部の下側に第４縦送りクラッチを備え、入力部の動力を伝動軸を介して第２，３，４縦送りクラッチに伝達するように構成する。第２縦送りクラッチの入力部側の２条の苗のせ面の縦送り装置に、入力部の動力を第２縦送りクラッチを介して伝達するように構成する。第３縦送りクラッチの入力部とは反対側の２条の苗のせ面の縦送り装置に、入力部の動力を第３縦送りクラッチを介して伝達するように構成する。第４縦送りクラッチの外隣の２条の苗のせ面の縦送り装置に、入力部の動力を第４縦送りクラッチを介して伝達するように構成する。
【００１３】
（作用）
本発明の第１〜６特徴によると、６条の苗のせ面及び７個の仕切り部を備えて苗のせ台を構成した場合、例えば図２及び図３に示すように、伝動軸２５を２条の苗のせ面１０ａに亘る程度の長さに抑えることができる。５条の苗のせ面及び６個の仕切り部を備えて苗のせ台を構成した場合、例えば図８及び図９に示すように、伝動軸２５を２条の苗のせ面１０ａに亘る程度の長さ又は１条の苗のせ面１０ａに亘る程度の長さに抑えることができる。８条の苗のせ面及び９個の仕切り部を備えて苗のせ台を構成した場合、例えば図１０及び図１１に示すように、伝動軸２５を４条の苗のせ面１０ａに亘る程度の長さに抑えることができる。
【００１４】
（発明の効果）
本発明の第１〜６特徴によると、苗植付装置において縦送り装置に動力を伝達する伝動軸の長さを抑えることができるようになるので、苗のせ台が往復横送り駆動の右又は左端部に達してフィードケースから縦送りの動力が入力部に伝達された際、伝動軸のネジレにより縦送り装置が少し遅れて駆動されるような状態を避けることができるようになり、縦送り装置が少し遅れて駆動されることによる植付不良を少なくすることができて、苗植付装置の植付性能を向上させることができた。
本発明の第１〜６特徴によると、苗植付装置において縦送り装置に動力を伝達する伝動軸のネジレの発生を少なくすることができるので、伝動軸の耐久性を向上させることができた。
【発明を実施するための最良の形態】
【００１５】
［１］
図１に示すように、前輪１及び後輪２を備えた機体の後部に、リンク機構３及びリンク機構３を昇降駆動する油圧シリンダ４が備えられ、リンク機構３の後部に６条植型式の苗植付装置５が支持されて、乗用型田植機が構成されている。図１及び図２に示すように、苗植付装置５は、フィードケース１７、伝動ケース６、伝動ケース６の後部に回転駆動自在に支持された植付ケース７、植付ケース７の両端に備えられた一対の植付アーム８、接地フロート９、ガイドレール３８に沿って左右に移動自在に支持された苗のせ台１０等を備えており、左右方向に配置された支持フレーム１８にフィードケース１７及び伝動ケース６が連結されて構成されている。
【００１６】
図２に示すように、フィードケース１７から横送り軸１９が延出され、横送り軸１９の端部が支持部材２０を介して支持フレーム１８に支持されて、横送り軸１９の回転に伴って往復横送り駆動される送り部材２１が横送り軸１９に外嵌されており、送り部材２１が苗のせ台１０に接続されている。機体に搭載されたエンジン（図示せず）の動力が、ＰＴＯ軸２２（図１参照）を介してフィードケース１７に伝達され、横送り軸１９に伝達されており、フィードケース１７から伝動軸２３、伝動ケース６の内部に備えられた伝動チェーン（図示せず）及び植付アームクラッチ２４を介して植付ケース７に伝達されている。これにより、苗のせ台１０が左右に往復横送り駆動されるのに伴って、植付ケース７が回転駆動され、苗のせ台１０の下部から植付アーム８が交互に苗を取り出して田面に植え付ける。
【００１７】
図１に示すように、運転座席１１の後側に、肥料を貯留するホッパー１２及び２条に対応した３個の繰り出し部１３が備えられており、運転座席１１の下側にブロア１４が備えられている。接地フロート９に６個の作溝器１５が備えられており、繰り出し部１３と作溝器１５とに亘って６本のホース１６が接続されている。これにより、前述のような苗の植え付けに伴って、ホッパー１２から肥料が所定量ずつ繰り出し部１３によって繰り出されて、ブロア１４の送風により肥料がホース１６を通って作溝器１５に供給されるのであり、作溝器１５を介して肥料が田面に供給される。
【００１８】
［２］
次に、苗のせ台１０について説明する。
図２及び図３に示すように、６条の苗のせ面１０ａと７個の仕切り部１０ｂとを備えて苗のせ台１０が構成されており、苗のせ面１０ａの各々に横向きの開口部１０ｃ，１０ｄ及び開口部１０ｃ，１０ｄに亘る縦向きの開口部１０ｅが形成されている。
【００１９】
図７（イ）（ロ）に示すように、仕切り部１０ｂは２つの縦壁部分１０ｆにより縦方向に沿って二分割構造に構成されており、一つの苗のせ面１０ａの右及び左の端部に縦壁部分１０ｆが備えられている。右又は左の端部の一方の縦壁部分１０ｆの上端に下向きの縦壁状の連結部分１０ｇ及びカバー部分１０ｊが備えられ、右又は左の端部の他方の縦壁部分１０ｆの上端に上向きの凹部状の連結部分１０ｈが備えられている。連結部分１０ｇを連結部分１０ｈに挿入することによって、縦壁部分１０ｆを突き合わせて連結するのであり、縦壁部分１０ｆの突き合わせ部分がカバー部分１０ｊによって覆われる。
【００２０】
図６に示すように、断面コ字状でレール状の支持部材３９が苗のせ台１０の下部に固定されて、断面コ字状で小さなブロック状の複数のシュー部材４０が、支持部材３９における仕切り部１０ｂの部分に固定されており、シュー部材４０がガイドレール３８に乗せられて、苗のせ台１０がガイドレール３８に沿って左右に移動自在に支持されている。縦壁部分１０ｆに半円筒状の凹部が形成されており、図７（イ）（ロ）に示すように、縦壁部分１０ｆを突き合わせて連結することによって、一対の半円筒状の凹部により円筒状の筒部分１０ｋが形成される。シュー部材４０に凹部４０ａが形成されて、筒部分１０ｋがシュー部材４０の凹部４０ａに入り込んでいる。これにより、苗のせ台１０の上側から筒部分１０ｋにグリスを充填して、蓋部材４１を筒部分１０ｋに取り付けることによって、筒部分１０ｋのグリスがシュー部材４０の凹部４０ａから、ガイドレール３８とシュー部材４０との間に入り込んでいく。
【００２１】
［３］
次に、苗のせ面１０ａの各々に備えられた縦送り装置３５について説明する。
図２及び図３に示すように、中央の２条の苗のせ面１０ａの開口部１０ｃの下側に亘って、１本の伝動軸２５（図６参照）（断面六角形状で２条の苗のせ面１０ａに亘る程度の長さ）が回転自在に支持されて、右端の仕切り部１０ｂから２つ目の仕切り部１０ｂの伝動軸２５の部分に入力部２７が外嵌されており、伝動軸２５に円筒状の駆動軸２６が相対回転自在に外嵌されている（図６参照）。右の２条の苗のせ面１０ａの開口部１０ｃ及び左の２条の苗のせ面１０ａの開口部１０ｃに亘って、円筒状の駆動軸２６が伝動軸２５と同芯状に相対回転自在に支持されている。
【００２２】
図２及び図３に示すように、苗のせ面１０ａの各々において、２個の駆動輪２８が駆動軸２６に固定されている（駆動軸２６の各々に４個の駆動輪２８が固定されている）。苗のせ面１０ａの開口部１０ｄの下側に亘り１本の従動軸３２が架設されており、苗のせ面１０ａの各々において２個の従動輪３３が従動軸３２に相対回転自在に外嵌されている。苗のせ面１０ａの各々において、１個の縦送りベルト３４が駆動輪２８及び従動輪３３に亘って巻回されており、縦送りベルト３４の表面に多数の突起が備えられ、縦送りベルト３４の横幅が苗のせ面１０ａの開口部１０ｃ，１０ｄの横幅と略同じものに設定されている。以上のように、縦送りベルト３４が駆動輪２８及び従動輪３３等により、縦送り装置３５が構成されている。
【００２３】
図２，３，４に示すように、伝動軸２５と一体回転及びスライド自在な１個の縦送りクラッチ部材２９（第１縦送りクラッチに相当）が、右端の仕切り部１０ｂから２つ目の仕切り部１０ｂの伝動軸２５の部分に入力部２７に隣接して外嵌されて、縦送りクラッチ部材２９を右隣の駆動輪２８に付勢するバネ４６、及び縦送りクラッチ部材２９を右隣の駆動輪２８から離し操作する操作アーム４２が備えられている。
【００２４】
図２，３，５に示すように、伝動軸２５と一体回転及びスライド自在な２個の縦送りクラッチ部材３０（第２縦送りクラッチに相当），３１（第３縦送りクラッチに相当）が、左端の仕切り部１０ｂから２つ目の仕切り部１０ｂの伝動軸２５の部分に外嵌されて、縦送りクラッチ部材３０を右隣の駆動輪２８に付勢するバネ４７、縦送りクラッチ部材３１を左隣の駆動輪２８に付勢するバネ４８、縦送りクラッチ部材３０，３１を右及び左隣の駆動輪２８から離し操作する操作アーム４３，４４が備えられている。
【００２５】
図２及び図６に示すように、フィードケース１７から縦送り軸３６が延出され、縦送り軸３６の端部が支持部材３７を介して支持フレーム１８に支持されて、縦送り軸３６が回転駆動されており、縦送り軸３６に一対の駆動アーム３６ａが固定されている。入力部２７の入力アーム２７ａが、縦送り軸３６の駆動アーム３６ａの間に位置している。これにより、苗のせ台１０が往復横送り駆動の右又は左端部に達すると、入力部２７の入力アーム２７ａが縦送り軸３６の一方の駆動アーム３６ａに達して、縦送り軸３６の一方の駆動アーム３６ａにより入力部２７の入力アーム２７ａが駆動されて、伝動軸２５が所定角度だけ回転駆動される。
【００２６】
２条に対応した３個の繰り出し部１３の各々に、繰り出し部１３を作動及び停止させる施肥クラッチ（図示せず）が備えられており、左の２条の施肥クラッチ及び植付アームクラッチ２４（図２参照）、縦送りクラッチ部材２９（操作アーム４２）（図２及び図３参照）が、１本のクラッチレバー（図示せず）によって操作可能に構成されている（縦送りクラッチ部材２９（図４参照）をスライド操作することができる）。
中央の２条の施肥クラッチ及び植付アームクラッチ２４（図２参照）、縦送りクラッチ部材３０（操作アーム４３）（図２及び図３参照）が、１本のクラッチレバー（図示せず）によって操作可能に構成されている（縦送りクラッチ部材３０（図５参照）をスライド操作することができる）。
左の２条の施肥クラッチ及び植付アームクラッチ２４（図２参照）、縦送りクラッチ部材３１（操作アーム４４）（図２及び図３参照）が、１本のクラッチレバー（図示せず）によって操作可能に構成されている（縦送りクラッチ部材３１（図５参照）をスライド操作することができる）。
【００２７】
以上の構造により、全ての施肥クラッチ及び植付アームクラッチ２４を伝動状態に操作して、全ての繰り出し部１３によって肥料が所定量ずつ繰り出され、全ての植付ケース７が回転駆動され、全ての縦送りクラッチ部材２９，３０，３１を駆動輪２８に咬合させている状態において、前述のように苗のせ台１０が往復横送り駆動の右又は左端部に達して伝動軸２５が所定角度だけ回転駆動されると、図２に示すように、伝動軸２５と一体で縦送りクラッチ部材２９及び右の２条の駆動軸２６が所定角度だけ回転駆動され、右の２条（外隣の２条）の縦送りベルト３４（縦送り装置３５）が所定角度だけ回転駆動されて、右の２条の苗のせ面１０ａに載置された苗が下方に送られる。
同様に伝動軸２５と一体で縦送りクラッチ部材３０及び中央の２条の駆動軸２６が所定角度だけ回転駆動され、中央の２条（内隣の２条）の縦送りベルト３４（縦送り装置３５）が所定角度だけ回転駆動されて、中央の２条の苗のせ面１０ａに載置された苗が下方に送られる。
同様に伝動軸２５と一体で縦送りクラッチ部材３１及び左の２条の駆動軸２６が所定角度だけ回転駆動され、左の２条（外隣の２条）の縦送りベルト３４（縦送り装置３５）が所定角度だけ回転駆動されて、左の２条の苗のせ面１０ａに載置された苗が下方に送られる。
【００２８】
次に図２に示すように、右の２条の施肥クラッチ及び植付アームクラッチ２４を遮断状態に操作し、縦送りクラッチ部材２９を駆動輪２８から離し操作すると、右の２条の繰り出し部１３及び植付ケース７が停止するのであり、右の２条の縦送りベルト３４（縦送り装置３５）が停止する。中央の２条の施肥クラッチ及び植付アームクラッチ２４を遮断状態に操作し、縦送りクラッチ部材３０を駆動輪２８から離し操作すると、中央の２条の繰り出し部１３及び植付ケース７が停止するのであり、中央の２条の縦送りベルト３４（縦送り装置３５）が停止する。左の２条の施肥クラッチ及び植付アームクラッチ２４を遮断状態に操作し、縦送りクラッチ部材３１を駆動輪２８から離し操作すると、左の２条の繰り出し部１３及び植付ケース７が停止するのであり、左の２条の縦送りベルト３４（縦送り装置３５）が停止する。
この場合、図２及び図３において、入力部２７及び１個の縦送りクラッチ部材２９を、左端の仕切り部１０ｂから２つ目の仕切り部１０ｂの伝動軸２５の部分に外嵌し、２個の縦送りクラッチ部材３０，３１を、右端の仕切り部１０ｂから２つ目の仕切り部１０ｂの伝動軸２５の部分に外嵌するように構成してもよい。
【００２９】
［発明の実施の第１別形態］
５条の苗のせ面１０ａと６個の仕切り部１０ｂとを備えた苗のせ台１０に本発明を適用する場合、図８に示すように構成してもよい。
図８に示すように、右から２つ目及び３つ目の苗のせ面１０ａの下側に亘って、１本の伝動軸２５（断面六角形状で２条の苗のせ面１０ａに亘る程度の長さ）が回転自在に支持されており、右端の仕切り部１０ｂから１つ目の仕切り部１０ｂの下側に、入力部２７が備えられている。右端の苗のせ面１０ａに対応する円筒状の駆動軸２６が、伝動軸２５と同芯状に相対回転自在に支持され、右から２つ目及び３つ目の苗のせ面１０ａに対応する２つの円筒状の駆動軸２６が、伝動軸２５に相対回転自在に外嵌されており、左の２条の苗のせ面１０ａに対応する円筒状の駆動軸２６が、伝動軸２５と同芯状に相対回転自在に支持されている。
【００３０】
図８に示すように、右端の仕切り部１０ｂから１つ目の仕切り部１０ｂの下側に、右端（外隣の１条）の苗のせ面１０ａ（駆動軸２６及び縦送り装置３５）に対応する縦送りクラッチ部材２９（第１縦送りクラッチに相当）が備えられている。右端の仕切り部１０ｂから２つ目の仕切り部１０ｂの下側に、右から２つ目（入力部２７側の１条）の苗のせ面１０ａ（駆動軸２６及び縦送り装置３５）に対応する縦送りクラッチ部材３０（第２縦送りクラッチに相当）が備えられている。左端の仕切り部１０ｂから２つ目の仕切り部１０ｂの下側に、左から３つ目（内隣の１条）の苗のせ面１０ａ（駆動軸２６及び縦送り装置３５）及び左の２条（外隣の２条）の苗のせ面１０ａ（駆動軸２６及び縦送り装置３５）に対応する縦送りクラッチ部材３１（第３縦送りクラッチに相当），４５（第４縦送りクラッチに相当）が備えられている。
図８に示す構成において、伝動軸２５及び駆動軸２６、入力部２７、縦送りクラッチ部材２９，３０，３１，４５を、左右逆転して配置するように構成してもよい。
【００３１】
［発明の実施の第２別形態］
５条の苗のせ面１０ａと６個の仕切り部１０ｂとを備えた苗のせ台１０に本発明を適用する場合、図９に示すように構成してもよい。
図９に示すように、中央の苗のせ面１０ａの下側に亘って、１本の伝動軸２５（断面六角形状で１条の苗のせ面１０ａに亘る程度の長さ）が回転自在に支持されており、右端の仕切り部１０ｂから２つ目の仕切り部１０ｂの下側に、入力部２７が備えられている。右の２条の苗のせ面１０ａに対応する円筒状の駆動軸２６が、伝動軸２５と同芯状に相対回転自在に支持され、中央の１条の苗のせ面１０ａに対応する円筒状の駆動軸２６が、伝動軸２５に相対回転自在に外嵌されており、左の２条の苗のせ面１０ａに対応する円筒状の駆動軸２６が、伝動軸２５と同芯状に相対回転自在に支持されている。
【００３２】
図９に示すように、右端の仕切り部１０ｂから２つ目の仕切り部１０ｂの下側に、右の２条（外隣の２条）の苗のせ面１０ａ（駆動軸２６及び縦送り装置３５）に対応する縦送りクラッチ部材２９（第１縦送りクラッチに相当）が備えられている。左端の仕切り部１０ｂから２つ目の仕切り部１０ｂの下側に、中央（入力部２７側の１条）の苗のせ面１０ａ（駆動軸２６及び縦送り装置３５）及び左の２条（外隣の２条）の苗のせ面１０ａ（駆動軸２６及び縦送り装置３５）に対応する縦送りクラッチ部材３０（第２縦送りクラッチに相当），３１（第３縦送りクラッチに相当）が備えられている。
図９に示す構成において、伝動軸２５及び駆動軸２６、入力部２７、縦送りクラッチ部材２９，３０，３１を、左右逆転して配置するように構成してもよい。
【００３３】
［発明の実施の第３別形態］
８条の苗のせ面１０ａと９個の仕切り部１０ｂとを備えた苗のせ台１０に本発明を適用する場合、図１０に示すように構成してもよい。
図１０に示すように、中央の４条の苗のせ面１０ａの下側に亘って１本の伝動軸２５（断面六角形状で４条の苗のせ面１０ａに亘る程度の長さ）が回転自在に支持されており、右端の仕切り部１０ｂから２つ目の仕切り部１０ｂの下側に、入力部２７が備えられている。右の２条の苗のせ面１０ａに対応する円筒状の駆動軸２６が、伝動軸２５と同芯状に相対回転自在に支持され、中央の右の２条の苗のせ面１０ａに対応する円筒状の駆動軸２６が、伝動軸２５に相対回転自在に外嵌されて、中央の左の２条の苗のせ面１０ａに対応する円筒状の駆動軸２６が、伝動軸２５に相対回転自在に外嵌されており、左の２条の苗のせ面１０ａに対応する円筒状の駆動軸２６が、伝動軸２５と同芯状に相対回転自在に支持されている。
【００３４】
図１０に示すように、右端の仕切り部１０ｂから２つ目の仕切り部１０ｂの下側に、右の２条（外隣の２条）の苗のせ面１０ａ（駆動軸２６及び縦送り装置３５）に対応する縦送りクラッチ部材２９（第１縦送りクラッチに相当）が備えられている。中央の仕切り部１０ｂの下側に、中央の右の２条（入力部２７側の２条）の苗のせ面１０ａ（駆動軸２６及び縦送り装置３５）に対応する縦送りクラッチ部材３０（第２縦送りクラッチに相当）が備えられている。左端の仕切り部１０ｂから２つ目の仕切り部１０ｂの下側に、中央の左の（内隣の２条）の苗のせ面１０ａ（駆動軸２６及び縦送り装置３５）及び左の２条（外隣の２条）の苗のせ面１０ａ（駆動軸２６及び縦送り装置３５）に対応する縦送りクラッチ部材３１（第３縦送りクラッチに相当），４５（第４縦送りクラッチに相当）が備えられている。
図１０に示す構成において、伝動軸２５及び駆動軸２６、入力部２７、縦送りクラッチ部材２９，３０，３１，４５を、左右逆転して配置するように構成してもよい。
【００３５】
［発明の実施の第４別形態］
８条の苗のせ面１０ａと９個の仕切り部１０ｂとを備えた苗のせ台１０に本発明を適用する場合、図１１に示すように構成してもよい。
図１１に示すように、中央の４条の苗のせ面１０ａの下側に亘って１本の伝動軸２５（断面六角形状で４条の苗のせ面１０ａに亘る程度の長さ）が回転自在に支持されており、右端の仕切り部１０ｂから２つ目の仕切り部１０ｂの下側に、入力部２７が備えられている。左の２条の苗のせ面１０ａに対応する円筒状の駆動軸２６が、伝動軸２５と同芯状に相対回転自在に支持され、中央の右の２条の苗のせ面１０ａに対応する円筒状の駆動軸２６が、伝動軸２５に相対回転自在に外嵌されて、中央の左の２条の苗のせ面１０ａに対応する円筒状の駆動軸２６が、伝動軸２５に相対回転自在に外嵌されており、左の２条の苗のせ面１０ａに対応する円筒状の駆動軸２６が、伝動軸２５と同芯状に相対回転自在に支持されている。
【００３６】
図１１に示すように、右端の仕切り部１０ｂから２つ目の仕切り部１０ｂの下側に、右の２条（外隣の２条）の苗のせ面１０ａ（駆動軸２６及び縦送り装置３５）に対応する縦送りクラッチ部材２９（第１縦送りクラッチに相当）が備えられている。中央の仕切り部１０ｂの下側に、中央の右の２条（入力部２７側の２条）の苗のせ面１０ａ（駆動軸２６及び縦送り装置３５）及び中央の左の２条（入力部２７とは反対側の２条）の苗のせ面１０ａ（駆動軸２６及び縦送り装置３５）に対応する縦送りクラッチ部材３０（第２縦送りクラッチに相当），３１（第３縦送りクラッチに相当）が備えられている。左端の仕切り部１０ｂから２つ目の仕切り部１０ｂの下側に、左の２条（外隣の２条）の苗のせ面１０ａ（駆動軸２６及び縦送り装置３５）に対応する縦送りクラッチ部材４５（第４縦送りクラッチに相当）が備えられている。
図１１に示す構成において、伝動軸２５及び駆動軸２６、入力部２７、縦送りクラッチ部材２９，３０，３１，４５を、左右逆転して配置するように構成してもよい。
【図面の簡単な説明】
【００３７】
【図１】乗用型田植機の全体側面図
【図２】苗植付装置の全体平面図
【図３】苗のせ台の背面図
【図４】入力部及び縦送りクラッチ部材（第１縦送りクラッチ）の付近の背面図
【図５】縦送りクラッチ部材（第２及び第３縦送りクラッチ）の付近の背面図
【図６】苗のせ台の下部の付近の縦断側面図
【図７】仕切り部の付近の断面図
【図８】発明の実施の第１別形態における苗のせ台の概略背面図
【図９】発明の実施の第２別形態における苗のせ台の概略背面図
【図１０】発明の実施の第３別形態における苗のせ台の概略背面図
【図１１】発明の実施の第４別形態における苗のせ台の概略背面図
【符号の説明】
【００３８】
１０    苗のせ台
１０ａ  苗のせ面
１０ｂ  仕切り部
２５    伝動軸
２７    入力部
２９    第１縦送りクラッチ
３０    第２縦送りクラッチ
３１    第３縦送りクラッチ
３５    縦送り装置
４５    第４縦送りクラッチ
【図１】
2005117937.tif 000003
【図２】
2005117937.tif 000004
【図３】
2005117937.tif 000005
【図４】
2005117937.tif 000006
【図５】
2005117937.tif 000007
【図６】
2005117937.tif 000008
【図７】
2005117937.tif 000009
【図８】
2005117937.tif 000010
【図９】
2005117937.tif 000011
【図１０】
2005117937.tif 000012
【図１１】
2005117937.tif 000013